(57)【要約】【課題】画像ファイルに含まれる付属情報の編集を簡単に行うことができる画像ファイル編集システムを提供する。【解決手段】画像ファイル編集装置４は、メモリカード５を介して画像データとその画像データに対応する付属情報（画像付属情報）を含む画像ファイルが入力され、付属情報の編集を行うものである。付属情報には、画像データの撮影地点の経緯度情報が含まれる。画像ファイル編集装置４は、ネットワーク３を介して情報サービスサーバ１ａ、１ｂに接続可能であり、少なくとも経緯度情報を情報サービスサーバ１ａ、１ｂに送信し、情報サービスサーバ１ａ、１ｂからサービス情報を受信する。そして、受信したサービス情報を画像ファイルの付属情報に追加する。【選択図】図１
2004080243.tif 000002
【特許請求の範囲】
【請求項１】
画像データと付属情報を含む画像ファイルの編集を行う画像ファイル編集システムであって、
ネットワークに接続された情報サービスサーバと、
前記ネットワークを介して前記情報サービスサーバに接続可能な画像ファイル編集装置とを有し、
前記付属情報は、前記画像データの作成日時情報と作成地点の経緯度情報を含んでおり、
前記画像ファイル編集装置は、編集すべき画像ファイルの前記付属情報の内の少なくとも前記経緯度情報を前記情報サービスサーバに送信し、前記情報サービスサーバから受信したサービス情報を前記付属情報に追加するものであり、
前記情報サービスサーバは、日時情報及び経緯度情報に対応して１又は複数種類のサービス情報を記憶したデータベースにアクセス可能であって、少なくとも前記受信した経緯度情報に基づいて前記データベースから検索した前記サービス情報を、前記編集装置に送信するものである画像ファイル編集システム。
【請求項２】
請求項１記載の画像ファイル編集システムであって、
前記画像ファイル編集装置は、外部からの指示に対応する特定の情報サービスサーバに対して、前記付属情報の内の少なくとも前記経緯度情報を送信するものである画像ファイル編集システム。
【請求項３】
請求項２記載の画像ファイル編集システムであって、
前記外部からの指示は、前記サービス情報の種類を特定するものである画像ファイル編集システム。
【請求項４】
請求項１記載の画像ファイル編集システムであって、
前記入力された画像ファイルの付属情報は、さらに前記サービス情報の種類を特定するサービス情報識別情報を含んでおり、
前記画像ファイル編集装置は、前記サービス情報識別情報に対応する特定の情報サービスサーバに対して、前記付属情報の内の少なくとも前記経緯度情報を送信するものである画像ファイル編集システム。
【請求項５】
請求項１ないし４のいずれか１項記載の画像ファイル編集システムであって、
前記画像ファイル編集装置は、前記経緯度情報とともに前記付属情報に含まれる前記日時情報を前記情報サービスサーバに送信するものである画像ファイル編集システム。
【請求項６】
画像データと付属情報を含む画像ファイルの編集を行う画像ファイル編集装置であって、
前記画像ファイルを入力する入力部と、
前記入力部を介して入力された前記画像ファイルの編集を行う編集処理部と、ネットワークを介して情報サービスサーバと情報の送受信を行う通信部とを有し、
前記入力された画像ファイルの付属情報は、前記画像データの撮影時の日時情報及び撮影地点の経緯度情報を含んでおり、
前記編集処理部は、前記付属情報の内の少なくとも前記経緯度情報を、前記通信部を介して前記情報サービスサーバに送信し、前記情報サービスサーバから前記通信部を介して受信したサービス情報を前記付属情報に追加するものである画像ファイル編集装置。
【請求項７】
請求項６記載の画像ファイル編集装置であって、
前記編集処理部は、予め設定された特定の情報サービスサーバに対して、前記付属情報の内の少なくとも前記経緯度情報を送信するものである画像ファイル編集装置。
【請求項８】
請求項６記載の画像ファイル編集装置であって、
前記編集処理部は、外部からの指示に対応する特定の情報サービスサーバに対して、前記付属情報の内の少なくとも前記経緯度情報を送信するものである画像ファイル編集装置。
【請求項９】
請求項８記載の画像ファイル編集装置であって、
前記外部からの指示は、前記サービス情報の種類を特定するものである画像ファイル編集装置。
【請求項１０】
請求項６記載の画像ファイル編集装置であって、
前記入力された画像ファイルの付属情報は、さらに前記サービス情報の種類を特定するサービス情報識別情報を含んでおり、
前記編集処理部は、前記サービス情報識別情報に対応する特定の情報サービスサーバに対して、前記付属情報の内の少なくとも前記経緯度情報を送信するものである画像ファイル編集装置。
【請求項１１】
請求項６ないし１０のいずれか１項記載の画像ファイル編集装置であって、
前記編集処理部は、前記経緯度情報とともに前記付属情報に含まれる前記日時情報を前記情報サービスサーバに送信するものである画像ファイル編集装置。
【請求項１２】
請求項６ないし１１のいずれか１項記載の画像ファイル編集装置をコンピュータによって実現するための画像ファイル編集プログラム。
【請求項１３】
撮影画像データと付属情報とを関連付けて記録するデジタルカメラであって、
前記撮影画像データ及び前記付属情報の記録処理を行うファイル作成処理部と、
前記作成された付属情報の編集を行うファイル編集処理部と、
日時情報を出力する計時部と、
前記デジタルカメラの存在位置の経緯度情報を検出する位置検出部と、
ネットワークを介して情報サービスサーバと情報の送受信を行う通信部とを有し、
前記ファイル作成処理部は、前記計時部及び前記位置検出部から得られる撮影時の日時情報及び撮影地点の経緯度情報を、前記付属情報に含めて記録するものであり、
前記ファイル編集処理部は、前記付属情報の内の少なくとも前記経緯度情報を、前記通信部を介して前記情報サービスサーバに送信し、前記情報サービスサーバから前記通信部を介して受信したサービス情報を前記付属情報として記録するものであるデジタルカメラ。
デジタルカメラがすべてを行う場合は、画像データ＋付属情報の　　画像ファイルという概念は必ずしも必要ではないので、単に「関連付けて記　　録」としています。単に観光地名を取得する場合は、経緯度情報のみの送信　　で充分であるので、「少なくとも前記経緯度情報を〜送信」としました。
【請求項１４】
請求項１３記載のデジタルカメラであって、
前記ファイル編集処理部は、予め設定された特定の情報サービスサーバに対して、前記付属情報の内の少なくとも前記経緯度情報を送信するものであるデジタルカメラ。
【請求項１５】
請求項１３記載のデジタルカメラであって、
前記ファイル編集処理部は、外部からの指示に対応する特定の情報サービスサーバに対して、前記付属情報の内の少なくとも前記経緯度情報を送信するものであるデジタルカメラ。
【請求項１６】
請求項１５記載のデジタルカメラであって、
前記外部からの指示は、前記サービス情報の種類を特定するものであるデジタルカメラ。
【請求項１７】
請求項１５又は１６記載のデジタルカメラであって、
前記ファイル作成処理部は、前記外部からの指示に基づいて前記サービス情報の種類を特定するサービス情報識別情報を、前記撮影画像データに関連付けて記録するものであり、
前記ファイル編集処理部は、前記サービス情報識別情報に基づいて前記特定の情報サービスサーバを選択するものであるデジタルカメラ。
【請求項１８】
請求項１３ないし１７のいずれか１項記載のデジタルカメラであって、
前記ファイル編集処理部は、前記経緯度情報とともに前記付属情報に含まれる前記日時情報を前記情報サービスサーバに送信するものであるデジタルカメラ。
サービス情報が気象情報や列車名を含む鉄道情報である場合は、　　撮影日時情報も必要であるので、ここで限定してあります。
【請求項１９】
請求項１３ないし１８のいずれか１項記載のデジタルカメラであって、
前記ファイル編集処理部は、撮影終了後自動的に処理を開始するものであるデジタルカメラ。
【請求項２０】
撮影画像データと付属情報とを画像ファイル単位で記録するデジタルカメラであって、
前記撮影画像データ及び前記付属情報の記録処理を行うファイル作成処理部と、
日時情報を出力する計時部と、
前記デジタルカメラの存在位置の経緯度情報を検出する位置検出部と、
前記付属情報として追加記憶すべきサービス情報の種類を特定するサービス情報識別情報を記憶する識別情報記憶部とを有し、
前記ファイル作成処理部は、前記計時部及び前記位置検出部から得られる撮影時の日時情報及び撮影地点の経緯度情報と、前記識別情報記憶部から得られるサービス情報識別情報を、前記付属情報に含めて記録するものであるデジタルカメラ。
【請求項２１】
請求項２０記載のデジタルカメラであって、
前記識別情報記憶部は、複数のサービス情報識別情報を記憶しており、
前記ファイル作成処理部は、外部からの指示によって選択されるサービス情報識別情報を、前記付属情報に含めて記録するものであるデジタルカメラ。
【発明の詳細な説明】
【０００１】
【発明の属する技術分野】
本発明は、画像データに関連する付属情報の追加を行う画像ファイル編集システム、画像ファイル編集装置、画像ファイル編集プログラム及びデジタルカメラに関する。
【０００２】
【従来の技術】
デジタルカメラで撮影された画像データは、付属情報とともに画像ファイル単位で管理される。画像ファイルに含まれる付属情報の内、画像データの構成や特性に関する情報、撮影モード、ホワイトバランス設定、フォーカス設定、ストロボの有無等の撮影条件に関する情報、撮影機器のメーカー、機種に関する情報、撮影年月日等は、撮影時にデジタルカメラによって自動的に記録される。また、画像ファイルには、撮影画像のタイトル、撮影地点名、撮影環境情報等も、撮影画像利用形態等に応じて、利用者が任意に記録可能である。しかし、それぞれの画像ファイルに撮影画像のタイトル、撮影地点名、撮影環境情報を入力することは、一般に簡単ではない。
【０００３】
特開平１１−１５５１２４号公報には、温度、方位、湿度、風速等の外部環境データを、撮影画像データに対応付けて自動的に記録可能なデジタルカメラが、示されている。このデジタルカメラは、外部環境データを計測する各種センサを備えており、撮影時に、センサの出力を加工して記録するものである。しかし、自動的に記録できる情報は、カメラに搭載された各種センサによって測定できる環境情報に限られ、搭載するセンサの種類を多くすると、カメラの容積を重量を増大させ、コストアップにつながるという問題点がある。
【０００４】
また、撮影地点名や撮影対象名の入力を撮影時に行うことは、デジタルカメラのユーザインタフェースの操作性等を考慮すると現実的ではなく、撮影毎にメモ用紙等に記載しておき、撮影後にそれぞれの撮影画像を確認しながら入力することも、記載モレ、記憶違い毎により不正確になるという問題がある。
【０００５】
【発明が解決しようとする課題】
本発明は、上記事情に鑑みなされたもので、画像ファイルに含まれる付属情報の編集を簡単に行うことができる画像ファイル編集システム、画像ファイル編集装置、画像ファイル編集プログラム及びデジタルカメラを提供することを目的とするものである。
【０００６】
【課題を解決するための手段】
本発明の画像ファイル編集システムは、画像データと付属情報を含む画像ファイルの編集を行うものであって、ネットワークに接続された情報サービスサーバと、前記ネットワークを介して前記情報サービスサーバに接続可能な画像ファイル編集装置とを有し、前記付属情報は、前記画像データの作成日時情報と作成地点の経緯度情報を含んでおり、前記画像ファイル編集装置は、編集すべき画像ファイルの前記付属情報の内の少なくとも前記経緯度情報を前記情報サービスサーバに送信し、前記情報サービスサーバから受信したサービス情報を前記付属情報に追加するものであり、前記情報サービスサーバは、日時情報及び経緯度情報に対応して１又は複数種類のサービス情報を記憶したデータベースにアクセス可能であって、少なくとも前記受信した経緯度情報に基づいて前記データベースから検索した前記サービス情報を、前記編集装置に送信するものである。
【０００７】
本発明の画像ファイル編集システムにおける前記画像ファイル編集装置は、外部からの指示に対応する特定の情報サービスサーバに対して、前記付属情報の内の少なくとも前記経緯度情報を送信するものを含む。
【０００８】
また、本発明の画像ファイル編集システムにおける前記外部からの指示は、前記サービス情報の種類を特定するものを含む。
【０００９】
本発明の画像ファイル編集システムは、前記入力された画像ファイルの付属情報に、さらに前記サービス情報の種類を特定するサービス情報識別情報を含んでおり、前記画像ファイル編集装置は、前記サービス情報識別情報に対応する特定の情報サービスサーバに対して、前記付属情報の内の少なくとも前記経緯度情報を送信するものを含む。
【００１０】
本発明の画像ファイル編集システムにおける前記画像ファイル編集装置は、前記経緯度情報とともに前記付属情報に含まれる前記日時情報を前記情報サービスサーバに送信するものを含む。
【００１１】
本発明の画像ファイル編集装置は、画像データと付属情報を含む画像ファイルの編集を行うものであって、前記画像ファイルを入力する入力部と、前記入力部を介して入力された前記画像ファイルの編集を行う編集処理部と、ネットワークを介して情報サービスサーバと情報の送受信を行う通信部とを有し、前記入力された画像ファイルの付属情報は、前記画像データの撮影時の日時情報及び撮影地点の経緯度情報を含んでおり、前記編集処理部は、前記付属情報の内の少なくとも前記経緯度情報を、前記通信部を介して前記情報サービスサーバに送信し、前記情報サービスサーバから前記通信部を介して受信したサービス情報を前記付属情報に追加するものである。
【００１２】
本発明の画像ファイル編集装置における前記編集処理部は、予め設定された特定の情報サービスサーバに対して、前記付属情報の内の少なくとも前記経緯度情報を送信するものを含む。
【００１３】
本発明の画像ファイル編集装置における前記編集処理部は、外部からの指示に対応する特定の情報サービスサーバに対して、前記付属情報の内の少なくとも前記経緯度情報を送信するものも含む。
【００１４】
また、本発明の画像ファイル編集装置における前記外部からの指示は、前記サービス情報の種類を特定するものを含む。
【００１５】
本発明の画像ファイル編集装置における前記入力された画像ファイルの付属情報は、さらに前記サービス情報の種類を特定するサービス情報識別情報を含んでおり、前記編集処理部は、前記サービス情報識別情報に対応する特定の情報サービスサーバに対して、前記付属情報の内の少なくとも前記経緯度情報を送信するものを含む。
【００１６】
本発明の画像ファイル編集装置における前記編集処理部は、前記経緯度情報とともに前記付属情報に含まれる前記日時情報を前記情報サービスサーバに送信するものを含む。
【００１７】
本発明の画像ファイル編集プログラムは、上記した画像ファイル編集装置をコンピュータによって実現するためのものである。
【００１８】
本発明のデジタルカメラは、撮影画像データと付属情報とを関連付けて記録するデジタルカメラであって、前記撮影画像データ及び前記付属情報の記録処理を行うファイル作成処理部と、前記作成された付属情報の編集を行うファイル編集処理部と、日時情報を出力する計時部と、前記デジタルカメラの存在位置の経緯度情報を検出する位置検出部と、ネットワークを介して情報サービスサーバと情報の送受信を行う通信部とを有し、前記ファイル作成処理部は、前記計時部及び前記位置検出部から得られる撮影時の日時情報及び撮影地点の経緯度情報を、前記付属情報に含めて記録するものであり、前記ファイル編集処理部は、前記付属情報の内の少なくとも前記経緯度情報を、前記通信部を介して前記情報サービスサーバに送信し、前記情報サービスサーバから前記通信部を介して受信したサービス情報を前記付属情報として記録するものである。
【００１９】
本発明のデジタルカメラにおける前記ファイル編集処理部は、予め設定された特定の情報サービスサーバに対して、前記付属情報の内の少なくとも前記経緯度情報を送信するものを含む。
【００２０】
本発明のデジタルカメラにおける前記ファイル編集処理部は、前記ファイル編集処理部は、外部からの指示に対応する特定の情報サービスサーバに対して、前記付属情報の内の少なくとも前記経緯度情報を送信するものを含む。
【００２１】
また、本発明のデジタルカメラにおける前記外部からの指示は、前記サービス情報の種類を特定するものを含む。
【００２２】
本発明のデジタルカメラにおける前記ファイル作成処理部は、前記外部からの指示に基づいて前記サービス情報の種類を特定するサービス情報識別情報を、前記撮影画像データに関連付けて記録するものであり、前記ファイル編集処理部は、前記サービス情報識別情報に基づいて前記特定の情報サービスサーバを選択するものを含む。
【００２３】
本発明のデジタルカメラにおける前記ファイル編集処理部は、前記経緯度情報とともに前記付属情報に含まれる前記日時情報を前記情報サービスサーバに送信するものを含む。
【００２４】
本発明のデジタルカメラにおける前記ファイル編集処理部は、撮影終了後自動的に処理を開始するものを含む。
【００２５】
本発明のデジタルカメラは、撮影画像データと付属情報とを画像ファイル単位で記録するデジタルカメラであって、前記撮影画像データ及び前記付属情報の記録処理を行うファイル作成処理部と、日時情報を出力する計時部と、前記デジタルカメラの存在位置の経緯度情報を検出する位置検出部と、前記付属情報として追加記憶すべきサービス情報の種類を特定するサービス情報識別情報を記憶する識別情報記憶部とを有し、前記ファイル作成処理部は、前記計時部及び前記位置検出部から得られる撮影時の日時情報及び撮影地点の経緯度情報と、前記識別情報記憶部から得られるサービス情報識別情報を、前記付属情報に含めて記録するものである。
【００２６】
本発明のデジタルカメラにおける前記識別情報記憶部は、複数のサービス情報識別情報を記憶しており、前記ファイル作成処理部は、外部からの指示によって選択されるサービス情報識別情報を、前記付属情報に含めて記録するものを含む。
【００２７】
【発明の実施の形態】
以下、本発明の実施の形態について、図面を用いて説明する。図１は、本発明の実施の形態の画像ファイル編集システムの概略構成を示す図である。図１のシステムは、インターネット等のネットワーク３に接続された情報サービスサーバ１ａ、１ｂ、画像ファイル編集装置４を含んで構成される。情報サービスサーバ１ａはデータベース２ａ、２ｂに接続され、情報サービスサーバ１ｂはデータベース２ｃに接続される。また、画像ファイル編集装置４には、メモリカード５が装着可能である。
【００２８】
情報サービスサーバ１ａ及び１ｂは、それぞれデータベース２ａ、２ｂ及び２ｃにアクセス可能であり、画像ファイル編集装置４から送信された情報に基づくサービス情報を画像ファイル編集装置４に送信するものである。データベース２ａ〜２ｃは、少なくとも経緯度情報（経度と緯度で表される位置情報を意味する。）に対応させて各種サービス情報を記録するものである。図１には、２つの情報サービスサーバ１ａ、１ｂを示したが、限定的なものではなく、１つでもさらに多くの数の情報サービスサーバを設けてもよい。また、データベース２ａ〜２ｃを情報サービスサーバ１ａ、１ｂと別のものとして示したが、データベース２ａ〜２ｃを情報サービスサーバ１ａ、１ｂ内に設けてもよく、さらにその数も任意である。
【００２９】
データベース２ａ〜２ｃに記憶され、情報サービスサーバ１ａ、１ｂによって検索されるサービス情報は、気象情報、観光地情報、鉄道情報等、少なくとも経緯度情報によって特定される情報である。温度、湿度、風向、風速、気圧等の気象情報は、経緯度情報によって特定される観測地点毎、及び観測日時毎に記録される。観光地情報は、経緯度情報と観光地名とが対応させて記憶される。すべての経緯度情報が観光地とは限らないので、その場合は、単に市町村名等の行政区画情報を記憶させておくのが好ましい。観光地情報には、付加的に観光地の各種イベントを対応する日時情報と合わせて記憶させてもよい。また、鉄道情報は、経緯度情報と鉄道路線名、駅名等とが対応させて記憶される。付加的に日時情報と列車名とを記憶させてもよい。経緯度情報及び日時情報と列車名との対応は列車時刻表から得ることができる。
【００３０】
これらのサービス情報は、１つのデータベースに１種類の情報を記憶させておいても、複数種類の情報を記憶させてもよい。また、１つのデータベースは、１つの情報サービスサーバのみからアクセス可能としても、複数の情報サービスサーバからアクセス可能としてもよい。１つの情報サービスサーバが複数のデータベースにアクセス可能となっている場合、及びアクセスするデータベースが複数種類のサービス情報を記憶している場合は、画像ファイル編集装置４から送信されるサービス情報の種類を特定するための情報によって、データベース又はサービス情報の種類を選択する。
【００３１】
画像ファイル編集装置４は、メモリカード５を介して画像データとその画像データに対応する付属情報（画像付属情報）を含む画像ファイルが入力され、付属情報の編集を行うものである。付属情報は、画像データの構成や特性に関する情報、撮影条件に関する情報、撮影機器のメーカー、機種に関する情報、撮影年月日等の他に、画像データの撮影地点の経緯度情報を含んでいる。画像ファイル編集装置４は、ネットワーク３を介して情報サービスサーバ１ａ、１ｂに接続可能であり、少なくとも付属情報に含まれる経緯度情報を情報サービスサーバ１ａ、１ｂに送信し、情報サービスサーバ１ａ、１ｂからサービス情報を受信する。そして、受信したサービス情報を画像ファイルの付属情報に追加する。
【００３２】
情報サービスサーバが複数設けられる場合、画像ファイル編集装置４は、付属情報に追加すべきサービス情報によって接続すべき情報サービスサーバを選択する。情報サービスサーバの選択は、利用者が画像ファイル編集装置に指示することによって行ってもよいし、入力される画像ファイルの付属情報に予め記録したサービス情報の種類を特定するサービス情報識別情報を利用して行ってもよい。
情報サービスサーバが複数種類のサービス情報を提供する場合は、利用者による指示内容又はサービス情報識別情報も情報サービスサーバに送信される。
【００３３】
画像ファイル編集装置４は、具体的には、操作部、表示部、入出力部、通信部、演算処理部、操作部等（いずれも図示せず）を有する周知の構成のパーソナルコンピュータで実現され、上記した編集処理を行う画像ファイル編集プログラムがインストールされる。
【００３４】
図２に、画像ファイル編集装置４に入力される画像ファイルの一例を示す。画像ファイルは、主画像データ、サムネイル画像データに加えて、タグ形式の画像付属情報を含んでおり、画像付属情報として、撮影年月日、撮影モード、ホワイトバランス等の情報とともに、経緯度情報が記録されている。この画像ファイルに気象情報を追加する場合、気象情報を提供する情報サービスサーバに接続し、経緯度情報と撮影年月日を送信し、対応する気象情報を受信後、画像付属情報に追加する。図３に、気象情報が追加された画像付属情報の一例を示す。
【００３５】
次に、本発明の画像ファイル編集システムを利用して編集可能な画像ファイルを作成するデジタルカメラについて説明する。図４は、そのようなデジタルカメラの一例の概略構成を示す図である。
【００３６】
図４のデジタルカメラ１００は、撮像部１１、信号処理部部１２、Ａ／Ｄ変換部１３によって、デジタル撮影画像信号を得るものである。また、ストロボ制御部１４によってストロボ１５を発光させ、ストロボ撮影も可能である。デジタル撮影画像信号は、圧縮／伸張部１６によって圧縮処理が施され、メモリカードスロット１８に装着されたメモリカード１９にカードインタフェース１７を介して記録する。メモリカード１９への記録は、圧縮された画像データと付属情報を含む画像ファイル単位で行われる。
【００３７】
メモリカード１９に記録された画像データに基づく画像を表示する場合は、メモリカード１９から読み出した画像データに対して、圧縮／伸張部１６で伸張処理を施し、フレームメモリ２１に書き込む。ＬＣＤ（液晶ディスプレイ）制御部２２は、フレームメモリ２１のデータに応じた画像をＬＣＤ２３に表示させる。
ＬＣＤ２３は、メモリカード１９の画像データに基づく画像だけでなく、Ａ／Ｄ変換部１３から得られるデジタル撮像信号に基づく画像を表示することもできる。また、デジタルカメラ１００の各種状態の表示、操作メニューの表示等にも利用される。
【００３８】
入出力インタフェース３１は、スイッチ／ＬＥＤ３２に接続され、デジタルカメラ１００の各種操作スイッチの状態信号を入力するとともに、デジタルカメラ１００の状態表示用のＬＥＤに対する信号を出力するものである。ＧＰＳモジュール３３は、ＧＰＳアンテナ３４を介してＧＰＳ衛星からの電波を受信し経緯度情報を得るものである。
【００３９】
制御部４１は、デジタルカメラ１００全体の動作を制御するもので、所定のプログラムによって動作するプロセッサを主体に構成される。制御部４１は、撮影動作、画像記録動作、画像表示動作を制御するだけでなく、画像付属情報の記録管理も行う。システムメモリ４２、不揮発性メモリ４３は、デジタルカメラ１００内での各種処理に利用されるデータ、プログラムを記憶したり、作業用メモリとして利用されるものであり、タイマ４４、時計４５は、撮影タイミングの制御、画像付属情報の記録管理等に利用される。システムバス５０は、デジタルカメラ１００の各要素間のデータを転送するものである。
【００４０】
以上のような要素を有するデジタルカメラ１００の撮影動作、通常の画像データ記録動作、画像表示動作は、従来のものと基本的に差異がないので説明を省略する。
【００４１】
デジタルカメラ１００は、通常の撮影記録モードだけでなく、撮影地点の経緯度情報を、撮影画像データと関連付けて記録する撮影地点情報記録モードを有する。撮影地点情報記録モードの設定は、対応するスイッチの操作によって行う。
撮影地点情報記録モード時には、ＧＰＳモジュール３３が起動され、撮影時に検出した経緯度情報が、図２の例に示すように画像付属情報として記録される。
【００４２】
また、撮影地点情報記録モード時に、前述したサービス情報識別情報を記録可能とする場合には、不揮発性メモリ４３に予め記憶したサービス情報識別情報を画像付属情報として記録する。複数のサービス情報識別情報が不揮発性メモリ４３に記憶されている場合は、操作スイッチの操作によって選択する。
【００４３】
このようにして得られた画像ファイルは、メモリカード１９に記録され、メモリカード１９は、図１のシステムにおけるメモリカード５として画像ファイルの入力に利用される。
【００４４】
次に、図１の画像ファイル編集システムの動作を、図５の概略フロー図を用いて説明する。画像ファイル編集装置４を構成するパーソナルコンピュータが起動され、入出力部（図示せず）に画像ファイルを記録したメモリカード５が装着される（ステップ１０１）と、パーソナルコンピュータにインストールされた画像ファイル編集プログラムが起動される（ステップ１０２）。
【００４５】
次いで、起動された画像ファイル編集プログラムによって、画像ファイル編集動作が開始され、ステップ１０３で情報サービスサーバへの接続処理を行う。情報サービスサーバへの接続処理の概略フローを図６に示す。
【００４６】
ステップ２０１で、入力された画像ファイルの付属情報がサービス情報識別情報を含むかどうかを判断する。サービス情報識別情報を含む場合は、その情報に対応した情報サービスサーバへの接続処理を行い（ステップ２０２）、含まない場合は、画像ファイル編集装置４の操作部（図示せず）から、接続先情報の入力の有無を判断する（ステップ２０３）。接続先情報の入力は、画像ファイル編集装置４がメニュー表示した接続すべき情報サービスサーバ又はサービス情報の種類を選択することによって行うのが好ましい。
【００４７】
接続先情報が入力されると、ステップ２０４で対応する情報サービスサーバへの接続処理を行い、接続先情報の入力がない場合は、予め定められた情報サービスサーバ（デフォルトサーバ）への接続処理を行う（ステップ２０５）。
【００４８】
図５に戻って、ステップ１０３の情報サービスサーバへの接続処理が完了すると、ステップ１０４で、経緯度情報を含むサービス情報の提供を受けるために必要な情報の送信を行う。送信する情報は、提供を受けるべきサービス情報の種類、接続された情報サービスサーバに応じて異なる。提供を受けるべきサービス情報が気象情報の場合は、経緯度情報とともに日時情報を送信する必要がある。観光地情報や鉄道情報の場合、観光地名や、鉄道路線、駅名のみの提供を受けるときは経緯度情報のみを送信し、イベント名や列車名の提供を受ける場合は、日時情報も合わせて送信する。また、接続された情報サービスサーバが複数のサービス情報を提供するサーバである場合、サービス情報識別情報や画像ファイル編集装置４の操作部（図示せず）で指定されたサービス情報の種類を特定するための情報も送信する。
【００４９】
次いで、ステップ１０５で接続した情報サービスサーバからサービス情報を受信し、ステップ１０６で受信したサービス情報を付属情報に追加記録し、画像ファイルの編集処理を終了する。編集された画像ファイルは、装着されたメモリカード内の画像ファイルを更新してもよいし、別の記録メディア（画像ファイル編集装置を構成するパーソナルコンピュータ内のメモリを含む。）に別の画像ファイルとして記録してもよい。
【００５０】
なお、図１の画像ファイル編集装置４は、入出力部（図示せず）にメモリカード５を接続することによって、画像ファイルを入力したが、画像ファイルの入力方法は各種方法が採用できる。例えば、デジタルカメラを有線通信又は無線通信によって直接接続してもよいし、他のコンピュータ（図示せず）からネットワーク３を介して転送してもよい。
【００５１】
また、画像ファイル編集装置４は、必ずしもパーソナルコンピュータである必要はなく、画像ファイルを入力可能あるいは記憶可能であって、インターネット等のネットワークに接続可能な機器であればどのような情報処理装置であってもよい。例えば、デジタルカメラ自体を画像ファイル編集装置として利用することも可能である。
【００５２】
デジタルカメラ自体を画像ファイル編集装置として利用する場合は、図４に示されるような構成を有するデジタルカメラ１００に、さらにネットワークに接続するための通信部を設ける。ネットワークとの接続方法は任意であるが、無線通信によるものが好ましい。その場合、ネットワーク接続するための無線通信手段をデジタルカメラ自体に設けても、携帯電話等と無線又は有線接続してネットワークに接続可能としてもよい。
【００５３】
画像ファイル編集装置として利用されるデジタルカメラは、付属情報編集モードを有し、制御部４２は、付属情報の内の少なくとも経緯度情報を情報サービスサーバに送信し、情報サービスサーバから受信したサービス情報を付属情報として追加記録する処理も行う。情報サービスサーバへの接続処理、サービス情報の取得、記録のための処理は、図１の画像ファイル編集装置４の行う処理と同様であるので説明を省略する。
【００５４】
デジタルカメラで画像ファイル編集処理を行う場合の、付属情報編集処理の起動は、操作部スイッチの操作によって行ってもよいし、付属情報編集モード設定時は自動的に起動してもよい。自動的に行う場合は、撮影画像情報がメモリカード１９に記録された後、デジタルカメラのアイドル時に自動的に情報情報サービスサーバに接続して行う。
【００５５】
【発明の効果】
以上の説明から明らかなように、本発明によれば、画像ファイルに含まれる付属情報の編集を簡単に行うことができる。
【図面の簡単な説明】
【図１】本発明の実施の形態の画像ファイル編集システムの概略構成を示す図
【図２】編集対象画像ファイルの一例を示す図
【図３】気象情報が追加された付属情報の一例を示す図
【図４】デジタルカメラの一例の概略構成を示す図
【図５】図１の画像ファイル編集システムの概略動作フローを示す図
【図６】情報サービスサーバへの接続処理の概略フローを示す図
【符号の説明】
１ａ、１ｂ・・・情報サービスサーバ
２ａ、２ｂ、２ｃ・・・データベース
３・・・ネットワーク
４・・・画像ファイル編集装置
５・・・メモリカード
１００・・・デジタルカメラ
１１・・・撮像部
１２・・・信号処理部部
１３・・・Ａ／Ｄ変換部
１４・・・ストロボ制御部
１５・・・ストロボ
１６・・・圧縮／伸張部
１７・・・カードインタフェース
１８・・・メモリカードスロット
１９・・・メモリカード
２１・・・フレームメモリ
２２・・・ＬＣＤ制御部
２３・・・ＬＣＤ
３１・・・入出力インタフェース
３２・・・スイッチ／ＬＥＤ
３３・・・ＧＰＳモジュール
３４・・・ＧＰＳアンテナ
４１・・・制御部
４２・・・システムメモリ
４３・・・不揮発性メモリ
４４・・・タイマ
４５・・・時計
５０・・・システムバス
【図１】
2004080243.tif 000003
【図２】
2004080243.tif 000004
【図３】
2004080243.tif 000005
【図４】
2004080243.tif 000006
【図５】
2004080243.tif 000007
【図６】
2004080243.tif 000008
【手続補正書】
【提出日】平成14年10月1日(2002.10.1)
【手続補正１】
【補正対象書類名】明細書
【補正対象項目名】特許請求の範囲
【補正方法】変更
【補正の内容】
【特許請求の範囲】
【請求項１】
画像データと付属情報を含む画像ファイルの編集を行う画像ファイル編集システムであって、
ネットワークに接続された情報サービスサーバと、
前記ネットワークを介して前記情報サービスサーバに接続可能な画像ファイル編集装置とを有し、
前記付属情報は、前記画像データの作成日時情報と作成地点の経緯度情報を含んでおり、
前記画像ファイル編集装置は、編集すべき画像ファイルの前記付属情報の内の少なくとも前記経緯度情報を前記情報サービスサーバに送信し、前記情報サービスサーバから受信したサービス情報を前記付属情報に追加するものであり、
前記情報サービスサーバは、日時情報及び経緯度情報に対応して１又は複数種類のサービス情報を記憶したデータベースにアクセス可能であって、少なくとも前記受信した経緯度情報に基づいて前記データベースから検索した前記サービス情報を、前記編集装置に送信するものである画像ファイル編集システム。
【請求項２】
請求項１記載の画像ファイル編集システムであって、
前記画像ファイル編集装置は、外部からの指示に対応する特定の情報サービスサーバに対して、前記付属情報の内の少なくとも前記経緯度情報を送信するものである画像ファイル編集システム。
【請求項３】
請求項２記載の画像ファイル編集システムであって、
前記外部からの指示は、前記サービス情報の種類を特定するものである画像ファイル編集システム。
【請求項４】
請求項１記載の画像ファイル編集システムであって、
前記入力された画像ファイルの付属情報は、さらに前記サービス情報の種類を特定するサービス情報識別情報を含んでおり、
前記画像ファイル編集装置は、前記サービス情報識別情報に対応する特定の情報サービスサーバに対して、前記付属情報の内の少なくとも前記経緯度情報を送信するものである画像ファイル編集システム。
【請求項５】
請求項１ないし４のいずれか１項記載の画像ファイル編集システムであって、
前記画像ファイル編集装置は、前記経緯度情報とともに前記付属情報に含まれる前記日時情報を前記情報サービスサーバに送信するものである画像ファイル編集システム。
【請求項６】
画像データと付属情報を含む画像ファイルの編集を行う画像ファイル編集装置であって、
前記画像ファイルを入力する入力部と、
前記入力部を介して入力された前記画像ファイルの編集を行う編集処理部と、ネットワークを介して情報サービスサーバと情報の送受信を行う通信部とを有し、
前記入力された画像ファイルの付属情報は、前記画像データの撮影時の日時情報及び撮影地点の経緯度情報を含んでおり、
前記編集処理部は、前記付属情報の内の少なくとも前記経緯度情報を、前記通信部を介して前記情報サービスサーバに送信し、前記情報サービスサーバから前記通信部を介して受信したサービス情報を前記付属情報に追加するものである画像ファイル編集装置。
【請求項７】
請求項６記載の画像ファイル編集装置であって、
前記編集処理部は、予め設定された特定の情報サービスサーバに対して、前記付属情報の内の少なくとも前記経緯度情報を送信するものである画像ファイル編集装置。
【請求項８】
請求項６記載の画像ファイル編集装置であって、
前記編集処理部は、外部からの指示に対応する特定の情報サービスサーバに対して、前記付属情報の内の少なくとも前記経緯度情報を送信するものである画像ファイル編集装置。
【請求項９】
請求項８記載の画像ファイル編集装置であって、
前記外部からの指示は、前記サービス情報の種類を特定するものである画像ファイル編集装置。
【請求項１０】
請求項６記載の画像ファイル編集装置であって、
前記入力された画像ファイルの付属情報は、さらに前記サービス情報の種類を特定するサービス情報識別情報を含んでおり、
前記編集処理部は、前記サービス情報識別情報に対応する特定の情報サービスサーバに対して、前記付属情報の内の少なくとも前記経緯度情報を送信するものである画像ファイル編集装置。
【請求項１１】
請求項６ないし１０のいずれか１項記載の画像ファイル編集装置であって、
前記編集処理部は、前記経緯度情報とともに前記付属情報に含まれる前記日時情報を前記情報サービスサーバに送信するものである画像ファイル編集装置。
【請求項１２】
請求項６ないし１１のいずれか１項記載の画像ファイル編集装置をコンピュータによって実現するための画像ファイル編集プログラム。
【請求項１３】
撮影画像データと付属情報とを関連付けて記録するデジタルカメラであって、
前記撮影画像データ及び前記付属情報の記録処理を行うファイル作成処理部と、
前記作成された付属情報の編集を行うファイル編集処理部と、
日時情報を出力する計時部と、
前記デジタルカメラの存在位置の経緯度情報を検出する位置検出部と、
ネットワークを介して情報サービスサーバと情報の送受信を行う通信部とを有し、
前記ファイル作成処理部は、前記計時部及び前記位置検出部から得られる撮影時の日時情報及び撮影地点の経緯度情報を、前記付属情報に含めて記録するものであり、
前記ファイル編集処理部は、前記付属情報の内の少なくとも前記経緯度情報を、前記通信部を介して前記情報サービスサーバに送信し、前記情報サービスサーバから前記通信部を介して受信したサービス情報を前記付属情報として記録するものであるデジタルカメラ。
【請求項１４】
請求項１３記載のデジタルカメラであって、
前記ファイル編集処理部は、予め設定された特定の情報サービスサーバに対して、前記付属情報の内の少なくとも前記経緯度情報を送信するものであるデジタルカメラ。
【請求項１５】
請求項１３記載のデジタルカメラであって、
前記ファイル編集処理部は、外部からの指示に対応する特定の情報サービスサーバに対して、前記付属情報の内の少なくとも前記経緯度情報を送信するものであるデジタルカメラ。
【請求項１６】
請求項１５記載のデジタルカメラであって、
前記外部からの指示は、前記サービス情報の種類を特定するものであるデジタルカメラ。
【請求項１７】
請求項１５又は１６記載のデジタルカメラであって、
前記ファイル作成処理部は、前記外部からの指示に基づいて前記サービス情報の種類を特定するサービス情報識別情報を、前記撮影画像データに関連付けて記録するものであり、
前記ファイル編集処理部は、前記サービス情報識別情報に基づいて前記特定の情報サービスサーバを選択するものであるデジタルカメラ。
【請求項１８】
請求項１３ないし１７のいずれか１項記載のデジタルカメラであって、
前記ファイル編集処理部は、前記経緯度情報とともに前記付属情報に含まれる前記日時情報を前記情報サービスサーバに送信するものであるデジタルカメラ。
【請求項１９】
請求項１３ないし１８のいずれか１項記載のデジタルカメラであって、
前記ファイル編集処理部は、撮影終了後自動的に処理を開始するものであるデジタルカメラ。
【請求項２０】
撮影画像データと付属情報とを画像ファイル単位で記録するデジタルカメラであって、
前記撮影画像データ及び前記付属情報の記録処理を行うファイル作成処理部と、
日時情報を出力する計時部と、
前記デジタルカメラの存在位置の経緯度情報を検出する位置検出部と、
前記付属情報として追加記憶すべきサービス情報の種類を特定するサービス情報識別情報を記憶する識別情報記憶部とを有し、
前記ファイル作成処理部は、前記計時部及び前記位置検出部から得られる撮影時の日時情報及び撮影地点の経緯度情報と、前記識別情報記憶部から得られるサービス情報識別情報を、前記付属情報に含めて記録するものであるデジタルカメラ。
【請求項２１】
請求項２０記載のデジタルカメラであって、
前記識別情報記憶部は、複数のサービス情報識別情報を記憶しており、
前記ファイル作成処理部は、外部からの指示によって選択されるサービス情報識別情報を、前記付属情報に含めて記録するものであるデジタルカメラ。